(57)【要約】【課題】開閉可能な表示部が約９０度しか開かなかったので、表示を見ながら操作を行う際、表示が見にくかった。【解決手段】表示部４が備えられた表示体２を、本体部１に対して回動自在に配するとともに、開いた状態の角度を少なくとも９０度以上とすることにより、表示部４が見やすくなり、操作部４を操作しながら操作部５を操作する際、表示部４の投影表示面積を広くなるため、表示が見やすくなる。また、表示体２を９０度以上開く構成とすることにより、表示部４をビデオライトとして使用した際に、ビデオライトの光が撮像部３の正面に位置する被写体に対してムラ無く良好に光を照射することができる。【選択図】図３
2005184186.tif 000002
【特許請求の範囲】
【請求項１】
表示体を本体に対して回動自在に設けた撮像装置であって、前記表示体を前記本体に対して収納した第１の位置と、前記表示体を第１の位置から回動させ約９０度開いた状態である第２の位置と、前記表示体を第２の位置から回動させ９０度以上開いた状態である第３の位置とに変位可能であることを特徴とする撮像装置。
【請求項２】
被写体映像を撮像する撮像手段と、前記撮像手段で撮像した映像を表示する表示手段と、各種回路を内包した本体部と、前記本体部に対して回動自在に固定されその一側面に前記表示手段を備えた表示体と、前記表示体と前記本体部との間に配され前記表示体を回動自在に保持するヒンジ手段とを備え、前記表示体を前記本体部に収納し前記表示部を目視できない状態とした第１の位置と、前記表示体を前記ヒンジ手段を中心に回動させ前記表示部が前記第１の位置から略垂直でかつ目視可能な状態にした第２の位置と、前記第２の位置から前記表示体を回動させた第３の位置とに変位可能であることを特徴とする撮像装置。
【請求項３】
被写体映像を撮像する撮像手段と、前記撮像手段で撮像した映像を表示する表示手段と、各種回路を内包した本体部と、前記本体部に設けられ各種操作を行う操作手段と、前記本体部に対して回動自在に固定されその一側面に前記表示手段を備えた表示体と、前記表示体と前記本体部との間に配され前記表示体を回動自在に保持するヒンジ手段とを備え、
前記表示体を前記本体部に収納し前記操作手段を目視できない状態とした第１の位置と、前記表示体を前記ヒンジ手段を中心に略垂直に回動させ前記操作手段を目視可能な状態にした第２の位置と、前記第２の位置から前記表示体を回動させた第３の位置とに変位可能であることを特徴とする撮像装置。
【請求項４】
表示体は、第３の位置からヒンジ手段を中心に表示部が撮像手段と略同方向を向くように回転可能としたことを特徴とする請求項１〜３に記載の撮像装置。
【請求項５】
表示体は、白色表示を行いバックライトにより光を照射することができる請求項４記載の撮像装置。
【発明の詳細な説明】
【技術分野】
【０００１】
本発明は、ビデオカメラやデジタルスチルカメラなどの撮像装置に関するものである。
【背景技術】
【０００２】
近年、ビデオカメラに代表される撮像装置は、撮影中の映像や記録媒体から再生した映像を視聴するために大型の液晶モニタを備えている。さらに、液晶モニタの視認性向上のため、液晶モニタは本体に対して収納自在な構成となっているものが多い。以下、従来の撮像装置について説明する。
【０００３】
図１２及び図１３は従来の撮像装置の外観構成を示す斜視図で、図１２は液晶モニタを収納した状態、図１３は液晶モニタを開いた状態である。図１４は図１３に示すように液晶モニタを開いた状態を別のアングルから見た斜視図で、図１３における矢印Ｚ方向から見た図となっている。
【０００４】
図において、１００はビデオカメラ本体で、被写体を撮影できる機器であればビデオカメラに限定されるものではなく、デジタルスチルカメラなどでも構わない。１０１は内部に各種信号処理を行う信号処理回路や記録媒体を案内するメカニズムや被写体を撮像する撮像手段などを備えた本体部、１０２は本体部１０１に対してその一部が回動自在に固定され表示部１０４を備えた表示体、１０２ａは表示体１０２を本体部１０１に対して回動自在に固定したヒンジ部、１０３は本体部１０１に設けられ被写体の光信号が入射され内部で結像して映像信号にする撮像部で、レンズや絞りや固体撮像素子（ＣＣＤ）などから構成されている。１０４は表示体１０２に設けられビデオカメラ本体１００で撮影中の映像や記録媒体から再生した映像などを表示する表示部で、一般的には２〜４インチ程度の液晶ディスプレイが用いられるが、有機ＥＬディスプレイなど他の表示デバイスであっても構わない。１０５は本体部１０１における表示体収納部分に設けられた操作部で、ビデオカメラ本体１００の各種操作（撮影操作や記録媒体記録再生操作や映像調整操作など）を行うためのものであり、複数個のボタンから構成されている。この操作部１０５のほとんどあるいは全てが、表示体１０２を本体部１０１に対して収納した状態（図１２の状態）で、外部から目視不可能な状態となるような位置に配されている。
【０００５】
以上のように構成された従来の撮像装置について、以下その動作について説明する。
【０００６】
まず図１２の状態から表示体１０２における表示部１０４が目視可能になるように、変位させる必要がある。そのために、表示体１０２の端部（一般的にはヒンジ部１０２ａから最も遠い端部）を把持し、ヒンジ部１０２ａを軸に矢印Ａ方向に回動させる。
【０００７】
図１３及び図１４に示す位置まで表示体１０２を回動させると、ヒンジ部１０２ａ内部に設けられた係止手段（図示せず）により、表示体１０２の回動が禁止され、図１３に示す状態を保持する。なお、この時表示体１０２の開いた角度は、図１２に示す状態に対して約９０度である。この状態で、ビデオカメラ本体１００に設けられた電源ボタン（図示せず）を操作することで本体の電源が投入される。そして、ビデオカメラ本体１００を撮影モードにすることで、撮像部１０３に入射される被写体映像が内部で信号処理されて、表示部１０４に表示される。撮影者は、表示部１０４に表示される映像信号を見ながら、記録したい画角などを調整し、録画ボタンやズームボタン（図示せず）などを操作して所望の映像を記録媒体に記録することができる。
【０００８】
また、図１３及び図１４に示す状態で、ビデオカメラ本体１００を再生モードにし、再生ボタンを操作して記録媒体の再生状態にすることで、内部に装填された記録媒体（テープカセットやディスクやメモリカードなど）に記録された映像信号を、表示部１０４に表示させることができる。使用者は表示部１０４に表示される映像信号により、再生映像を視聴することができる。なお、再生ボタンや早送り／巻き戻しボタンなどは、本体部１０１における表示体収納部分に設けられており、具体的には操作部１０５に示した。一般に、表示体１０２を収納した状態（図１２の状態）では、記録媒体を再生して使用することは極めて少ないので、スペース効率向上の観点から同位置に再生時に使用する操作部を配した。
【０００９】
さらに、表示体１０２は、矢印Ｃに示すように回転させることもできる。具体的なヒンジの内部構造については、例えば特開平１０−２８５４４４号に示すように、２軸構造になっているものが多い。表示体１０２を所望の角度に矢印Ｃ方向へ回転させることで、使用者が目視しやすい角度に表示部１０４を向けることができる。
【００１０】
さらに、図１５に示すように表示部１０４を被写体方向へ回転させることで、被写体を自分（撮影者）とし、撮像部１０３で自分（撮影者）の映像を撮影し記録媒体に記録する、いわゆる「自分撮り」ができる。
【００１１】
また、図１５に示す状態から表示部１０４を白色表示にすることで、表示部１０４のバックライトによる照明として用いることができる（いわゆる「ビデオライト」）。このように表示部１０４を被写体側に向けてビデオライトとして使用する構成については、特開平１０−１２６６５５号公報に記載されている。
【００１２】
次に、表示体１０２の収納動作について説明する。図１３及び図１４に示す状態から、表示体１０２をヒンジ部１０２ａを軸に、矢印Ｂ方向に回動させることで、図１２に示す収納状態へと移行することができる。
【特許文献１】特開平１０−１２６６５５号公報
【特許文献２】特開平１０−２８５４４４号公報
【発明の開示】
【発明が解決しようとする課題】
【００１３】
しかしながら上記従来の構成では、図１３に示すように表示体１０２が開いた時の角度が約９０度であるため、図１４に示すように操作部１０５を操作しながら表示部１０４を目視しにくかった。つまり、記録媒体の再生時などのように操作部１０５を操作する時は、図１４のように操作部１０５が見やすい角度にビデオカメラ本体１００を把持する。するとこの時、表示部１０４は図示のように斜めから目視する状態となり、目視しにくい状態となる。この状態から表示部１０４を見やすくするためには、ビデオカメラ本体１００の把持角度を変え、表示部１０４を見やすい角度にする必要がある。つまり、操作部１０５を操作する時と、表示部１０４を目視する時とで、ビデオカメラ本体１００を変位させる必要があり、使い勝手が悪いという問題がある。
【００１４】
次に、図１５に示すように、表示体１０２が約９０度しか開かないため、表示部１０４をビデオライトとして使用した時に、表示部１０４のバックライトから照射される光の方向が、撮像部１０３の撮影方向と異なるという問題がある。つまり、図１５に示すように、一般的に被写体２００は撮像部１０３のほぼ正面に位置することが多く、この状態で表示部１０４をビデオライトとして使用した場合、撮像部１０３と表示部１０４は位置が異なるため、表示部１０４から照射される光の範囲（図示１０６〜１０６’の範囲）が撮像部１０３の撮影範囲１７と一致しなくなる。すると、被写体２００に当たる光に偏りが生じてしまう。特に、撮像部１０３に対して近距離に被写体がある場合に、顕著に偏りが現れる。
【００１５】
本発明は上記課題を鑑み、表示体を撮像装置本体に対して少なくとも９０度以上開くよう構成することにより、操作部を操作しながら表示部を良好に目視できるとともに、表示部をビデオライトとして使用した時に光の照射方向を撮像部の撮影範囲に、より近づけることができる撮像装置を提供することを目的とする。
【課題を解決するための手段】
【００１６】
上記目的を達成するために本発明の撮像装置は、被写体映像を撮像する撮像手段と、前記撮像手段で撮像した映像を表示する表示手段と、各種回路を内包した本体部と、前記本体部に対して回動自在に固定されその一側面に前記表示手段を備えた表示体と、前記表示体と前記本体部との間に配され前記表示体を回動自在に保持するヒンジ手段とを備え、前記表示体を前記本体部に収納し前記表示部を目視できない状態とした第１の位置と、前記表示体を前記ヒンジ手段を中心に回動させ前記表示部が前記第１の位置から略垂直でかつ目視可能な状態にした第２の位置と、前記第２の位置から前記表示体を回動させた第３の位置とに変位可能であるものである。
【００１７】
これにより、表示体を撮像装置本体に対して少なくとも９０度以上開くよう構成することにより、操作部を操作しながら表示部を良好に目視できるとともに、表示部をビデオライトとして使用した時に光の照射方向を撮像部の撮影範囲に、より近づけることができる。
【発明の効果】
【００１８】
以上のように本発明は、表示体を撮像装置本体に対して少なくとも９０度以上開くよう構成することにより、操作部を操作しながら表示部を良好に目視できるとともに、表示部をビデオライトとして使用した時に光の照射方向を撮像部の撮影範囲により近づけることができるという優れた効果を奏するものである。
【発明を実施するための最良の形態】
【００１９】
本発明の請求項１〜５に記載の発明は、被写体映像を撮像する撮像手段と、前記撮像手段で撮像した映像を表示する表示手段と、各種回路を内包した本体部と、前記本体部に対して回動自在に固定されその一側面に前記表示手段を備えた表示体と、前記表示体と前記本体部との間に配され前記表示体を回動自在に保持するヒンジ手段とを備え、前記表示体を前記本体部に収納し前記表示部を目視できない状態とした第１の位置と、前記表示体を前記ヒンジ手段を中心に回動させ前記表示部が前記第１の位置から略垂直でかつ目視可能な状態にした第２の位置と、前記第２の位置から前記表示体を回動させた第３の位置とに変位可能にしたことにより、表示体を撮像装置本体に対して少なくとも９０度以上開くよう構成することにより、操作部を操作しながら表示部を良好に目視できるとともに、表示部をビデオライトとして使用した時に光の照射方向を撮像部の撮影範囲に、より近づけることができる。
【００２０】
以下、本発明の実施の形態について、図面を用いて説明する。
【００２１】
（実施の形態１）
図１〜図５は本発明の実施の形態の撮像装置の外観構成を示す斜視図で、図１は表示体を収納した状態、図２は表示体を約９０度開いた状態、図３は図２の状態からさらに表示体を開いた状態、図４は図３の状態から表示体を約９０度回転させた状態、図５は図４の状態から表示体をさらに約９０度回転させ被写体方向に表示部を向けた状態である。図６は図２に示すように表示体を開いた状態を別のアングル（矢印Ｘ方向）から見た斜視図、図７は図３に示す状態において矢印Ｙ方向から見た斜視図、図８は図５に示す状態で表示部をビデオライトとして使用した時の光の照射方向を表した模式図、図９〜図１１は図１〜図３のそれぞれの状態におけるヒンジ部の動作を示す要部斜視図である。
【００２２】
図において、１０はビデオカメラ本体で、被写体を撮影できる機器であればビデオカメラに限定されるものではなく、デジタルスチルカメラなどでも構わない。１は内部に各種信号処理を行う信号処理回路や記録媒体を案内するメカニズムや被写体を撮像する撮像手段などを備えた本体部、２は本体部１に対してその一部が回動自在に固定され表示部４を備えた表示体、２ａは表示体２を本体部１に対して回動自在に固定したヒンジ部、３は本体部１に設けられ被写体の光信号が入射され内部で結像して映像信号にする撮像部で、レンズや絞りや固体撮像素子（ＣＣＤ）などから構成されている。４は表示体２に設けられビデオカメラ本体１０で撮影中の映像や記録媒体から再生した映像などを表示する表示部で、一般的には２〜４インチ程度の液晶ディスプレイが用いられるが、有機ＥＬディスプレイなど他の表示デバイスであっても構わない。５は本体部１における表示体収納部分に設けられた操作部で、ビデオカメラ本体１０の各種操作（撮影操作や記録媒体記録再生操作や映像調整操作など）を行うためのものであり、複数個のボタンから構成されている。この操作部５のほとんどあるいは全てが、表示体２を本体部１に対して収納した状態（図１の状態）で、外部から目視不可能な状態となるような位置に配されている。
【００２３】
以上のように構成された本実施の形態の撮像装置について、以下その動作について説明する。
【００２４】
まず図１の状態から表示体２における表示部４が目視可能になるように、変位させる必要がある。そのために、表示体２の端部（一般的にはヒンジ部２ａに対向した端部）を把持し、ヒンジ部２ａを軸に矢印Ｄ方向に回動させる。
【００２５】
図２に示す位置まで表示体２を回動させると、ヒンジ部２ａ内部に設けられた係止手段（図示せず）により、表示体２が約９０度開いた位置で保持される。なお、この状態では表示体２が容易に回動しないように、ヒンジ部２ａ内部の機構によりクリック感が与えられている。
【００２６】
この状態で、ビデオカメラ本体１０に設けられた電源ボタン（図示せず）を操作することで本体の電源が投入される。そして、ビデオカメラ本体１０を撮影モードにすることで、撮像部１０３に入射される被写体映像が内部で信号処理されて、表示部４に表示される。撮影者は、表示部４に表示される映像信号を見ながら、記録したい画角などを調整し、録画ボタンやズームボタン（図示せず）などを操作して所望の映像を記録媒体に記録することができる。なお、本説明では表示体２を開いた状態で電源を投入するという説明をしたが、表示体２を開く動作と電源投入動作とは関連性を持たせる必要はなく、例えば電源投入してから表示体２を開いてもよい。
【００２７】
また、図２に示す状態で、ビデオカメラ本体１０を再生モードにし、再生ボタンを操作して記録媒体の再生状態にすることで、内部に装填された記録媒体（テープカセットやディスクやメモリカードなど）に記録された映像信号を、表示部４に表示させることができる。使用者は表示部４に表示される映像信号により、再生映像を視聴することができる。なお、再生ボタンや早送り／巻き戻しボタンなどは、本体部１における表示体収納部分に設けられており、具体的には操作部５として示した。一般に、表示体２を収納した状態（図１の状態）では、記録媒体を再生して使用することは極めて少ないので、スペース効率向上の観点から同位置に再生時に使用する操作ボタンなどを配した。
【００２８】
さらに、表示体２は、矢印Ｃに示すように回転させることもできる。具体的なヒンジ部２ａの内部構造については、例えば特開平１０−２８５４４４号に示すように、２軸構造になっているものが多い。表示体２を矢印Ｃ方向へ回転させて所望の角度に設定することで、使用者が目視しやすい角度に表示部４を向けることができる。
【００２９】
次に、表示体２の収納動作について説明する。図２に示す状態から、表示体２をヒンジ部２ａを軸に、矢印Ｇ方向に回動させることで、図１に示す収納状態へと移行することができる。
【００３０】
本実施の形態では、図２の状態から表示体２をさらに矢印Ｅ方向へ回動させ、９０度以上開くことができる。回動後の状態が図３である。図３における表示体２の回動角度は、図１の状態にから例えば約１２０度に設定してある。また、図３に示す状態では表示体２はそれ以上開く方向へ回動しないように、ヒンジ部２ａ内部の機構により、係止されている。その構成については後述する。
【００３１】
図３に示すように表示体２が９０度以上開くように構成したことで、以下のようなメリットがある。
【００３２】
まず、１つ目のメリットは、図７に示すように、使用者が表示部４を見ながら操作部５を操作する際、表示部４の表示面が従来構成（表示体が９０度開く構成）に比べて、より使用者側へ向けることができるので、表示部４の表示が見やすくなる。図６は表示体４を約９０度開いた状態を示す斜視図であるが、図示のように表示部４の全体は見えるものの、投影面積としては狭いものである。一方、図７に示すように表示体４を９０度以上（本例では約１２０度）開くことで、投影面積を広くすることができ、表示が見やすくなる。したがって、表示部４の表示を見ながら操作部５を良好に操作することができる。
【００３３】
次に、２つ目のメリットは、表示部４をビデオライトとして使用した場合にある。図３に示す状態から、表示体２を矢印Ｈ方向へ回転させて、図４の状態を介して図５の状態にする。図５の状態では、表示部４は撮像部３のレンズと同一方向つまり被写体側を向いていることになる。本実施の形態では、図４に示すように表示体２を９０度以上開いた状態で表示体２を回転させる際に、表示体２の一部が本体部１に接触しないように、ヒンジ部２ａを本体部１の端部に配したり、本体部１において表示体２が接触する可能性がある部位にテーパ１ａや円弧部を設けたりする。さらに、撮像部３における鏡筒が接触する可能性もあるので、表示体２の回転範囲内に鏡筒を含めた他部材を配置しないようにする。
【００３４】
なお、本実施の形態では、表示体４を図３の状態から矢印Ｈ方向へ回転させる構造としたが、逆方向に回転させる構成であっても構わない。また、本実施の形態では図１から図５の状態に至るまでの動作の流れについては、必ずしも図１から図５に示すような過程で行う必要はなく、例えば、図２の状態で表示体２を矢印Ｃ方向へ回転させて表示部４を被写体側に向けてから、表示体２を約１２０度開いた位置まで回動させるようにしてもよい。
【００３５】
表示体２を図５に示すように約１２０度開いた状態にしてから、ビデオカメラ本体１０を操作して、表示部４が白色表示（いわゆるホワイトバック）になるように設定をする。すると、表示部４は内部にバックライトを備えており、白色光が発光することになる（いわゆるビデオライト）。その発光状態を図８に示す。
【００３６】
図８は表示部４をビデオライトとして使用した状態を示す模式図である。図において、２０は被写体、７は撮像部３の撮像範囲を示しており、６は表示部４をビデオライトモードにした時に照射される光の照射範囲である。
【００３７】
図８に示すように、表示体２を９０度以上開いた状態でビデオライトモードにすると、撮像部３の正面に位置する被写体に対して、ムラ無く光を照射することができ、暗い撮影環境でも鮮明な映像を撮影することができる。
【００３８】
次に、ヒンジ部２ａの構成について説明する。
【００３９】
図９〜図１１はヒンジ部２ａの構成を示す斜視図である。図９が表示体２を本体部１に対して閉じた状態で、図１の状態に相当図する。図１０は表示体２を本体部１に対して約９０度開いた状態で、図２の状態に相当する。図３は表示体２を本体部１に対して９０度以上（約１２０度）開いた状態で、図３の状態に相当する。
【００４０】
図において、９０はヒンジ本体で、他図で示されるヒンジ部２ａに相当する。９１は表示体２に固定される第１固定部で、ビスなどで固定するための孔などが設けられている。９２は本体部１側に固定される第２固定部で、ビスなどで固定するための孔などが設けられる。９２ａは第２固定部９２に設けられた係合孔部で、後述する係合爪９３ａが係合することで、表示体２の回動を禁止する。９５はヒンジ本体９０の要部を覆うケース、９４は表示体２の回動とともに矢印Ｉ方向に回転する支軸で、その両端はケース９５から露出しており、少なくとも両端部（図において見える部分）の断面は非円形（本実施の形態では略四角形）で構成されている。９３は略中央に設けられた孔に支軸９４が係合し支軸９４の回転に伴い回転する回動ロック部材、９３ａは回動ロック部材９３の外周部に設けられた係合爪部で、図１１に示す位置において係合孔部に係合する形状となっている。ケース９５内部には、第１固定部９１を矢印Ｊ方向へ回転可能なように、支軸９４と直交する他の支軸が設けられている。
【００４１】
このような構成において、表示体２を図１に示す状態から図２に示す状態へ移動させると、図９における第２固定部９２を除く構成が、支軸９４を中心にして矢印Ｋ方向へ回転し、図１０に示す状態となる。この時、ケース内部には弾性部材などで構成されたクリック発生手段が設けられており、図１０に示すように表示体２を約９０度開いた状態を、クリック感を伴って保持することができる。
【００４２】
さらに表示体２を図２に示す状態から図３に示す状態へ移動させると、図１０における第２固定部９２を除く構成が、支軸９４を中心にして矢印Ｌ方向へ回転し、図１１に示す状態となる。この時、ケース内部には弾性部材などで構成されたクリック発生手段が設けられており、図１０に示すように表示体２を約９０度開いた状態を、クリック感を伴って保持することができる。また、回動ロック部材９３の係合爪部９３ａが、第２固定部９２に設けられた係合孔部９２ａ内に挿入され、係合孔部９２ａ内の側壁に当接することで、支軸９４の矢印Ｍ方向への回動動作を機械的に禁止している。
【００４３】
以上のように本実施の形態によれば、表示部４が備えられた表示体２を、本体部１に対して回動自在に配するとともに、開いた状態の角度を少なくとも９０度以上とすることにより、表示部４が見やすくなり、操作部４を操作しながら操作部５を操作する際、表示部４の投影表示面積を広くなるため、表示が見やすくなる。
【００４４】
また、表示体２を９０度以上開く構成とすることにより、表示部４をビデオライトとして使用した際に、ビデオライトの光が撮像部３の正面に位置する被写体に対してムラ無く良好に光を照射することができる。
【産業上の利用可能性】
【００４５】
本発明の撮像装置は、ビデオカメラとして説明をしたが、少なくとも撮像手段と、本体に対して回動可能な表示手段とを備えたものであれば、いろんなものに応用でき、例えば、デジタルスチルカメラやＰＤＡなどの応用例が考えられる。
【図面の簡単な説明】
【００４６】
【図１】本発明の撮像装置の実施の形態を示す斜視図
【図２】本発明の撮像装置の実施の形態を示す斜視図
【図３】本発明の撮像装置の実施の形態を示す斜視図
【図４】本発明の撮像装置の実施の形態を示す斜視図
【図５】本発明の撮像装置の実施の形態を示す斜視図
【図６】同実施の形態の図２における矢印Ｘ方向から見た斜視図
【図７】同実施の形態の図５における矢印Ｙ方向から見た斜視図
【図８】同実施の形態のビデオライトモードにおいて光の照射方向を表した模式図
【図９】同実施の形態におけるヒンジ部の詳細構成を示す斜視図
【図１０】同実施の形態におけるヒンジ部の詳細構成を示す斜視図
【図１１】同実施の形態におけるヒンジ部の詳細構成を示す斜視図
【図１２】従来の撮像装置の斜視図
【図１３】従来の撮像装置の斜視図
【図１４】従来の撮像装置の斜視図
【図１５】従来の撮像装置においてビデオライトモードでの光の照射方向を示す模式図
【符号の説明】
【００４７】
１    本体部
２    表示体
３    撮像部
４    表示部
５    操作部
１０    ビデオカメラ本体
【図１】
2005184186.tif 000003
【図２】
2005184186.tif 000004
【図３】
2005184186.tif 000005
【図４】
2005184186.tif 000006
【図５】
2005184186.tif 000007
【図６】
2005184186.tif 000008
【図７】
2005184186.tif 000009
【図８】
2005184186.tif 000010
【図９】
2005184186.tif 000011
【図１０】
2005184186.tif 000012
【図１１】
2005184186.tif 000013
【図１２】
2005184186.tif 000014
【図１３】
2005184186.tif 000015
【図１４】
2005184186.tif 000016
【図１５】
2005184186.tif 000017